(57)【要約】【課題】従来よりも優れた美容効果を発揮する可能性を有する美容器具を提供する。【解決手段】第１電極と第２電極とが人体を介して導通可能に構成され、第１電極と第２電極と人体とが構成する外部回路に電流を流すことにより電荷を帯びた美容成分を肌内部に浸透させるための美容器具である。美容器具は、第１電極と第２電極とを備えた本体部と、本体部内に配されるとともに第１電極と第２電極とに接続され、これらの間に流れる電流を制御する制御部とを有している。制御部は、第１電極と第２電極との間に一方極性の電流（Ｆ１）を流すイオン導入ステップと、第１電極と第２電極との間に他方極性のパルス電流（Ｆ２）を流すリセットパルスステップと、第１電極と第２電極との間に極性が交互に入れ替わる電流（Ｆ３）を流すスキンケアステップとを順次繰り返すイオン導入モードを実行するよう構成されている。【選択図】図１
2014054512.tif 000002
【特許請求の範囲】
【請求項１】
第１電極と第２電極とが人体を介して導通可能に構成され、上記第１電極と上記第２電極と人体とが構成する外部回路に電流を流すことにより電荷を帯びた美容成分を肌内部に浸透させるための美容器具であって、
第１電極と第２電極とを備えた本体部と、
該本体部内に配されるとともに上記第１電極と上記第２電極とに接続され、これらの間に流れる電流を制御する制御部とを有し、
該制御部は、上記第１電極と上記第２電極との間に一方極性の電流を流すイオン導入ステップと、上記第１電極と上記第２電極との間に他方極性のパルス電流を流すリセットパルスステップと、上記第１電極と上記第２電極との間に極性が交互に入れ替わる電流を流すスキンケアステップとを順次繰り返すイオン導入モードを実行するよう構成されていることを特徴とする美容器具。
【請求項２】
請求項１に記載の美容器具において、上記イオン導入ステップにおける電流はパルス状であり、上記スキンケアステップにおいて流れる電流は、矩形波であり、かつ、その絶対値が上記イオン導入ステップにおいて流れる電流の絶対値よりも小さいことを特徴とする美容器具。
【請求項３】
請求項１または２に記載の美容器具において、上記制御部は、上記イオン導入ステップ、上記リセットパルスステップおよび上記スキンケアステップの各々における電流の大きさを、各ステップに応じた値に制御する定電流回路を有していることを特徴とする美容器
【請求項４】
請求項１〜３のいずれか１項に記載の美容器具において、上記イオン導入ステップは０．２〜２０ミリ秒間継続され、上記スキンケアステップは０．２〜２０ミリ秒間継続されることを特徴とする美容器具。
【発明の詳細な説明】
【技術分野】
【０００１】
本発明は、イオン導入により美容成分を肌に浸透させる美容器具に関する。
【背景技術】
【０００２】
化粧品等に含有される美容成分の美容効果をより向上させる方法としてイオン導入が提案されている。イオン導入は、美容成分を浸透させたい部位に微弱な電流を流すことにより、電荷を帯びた美容成分を肌内部に向けて移動させ、美容成分の肌への浸透を促進させる方法である。
【０００３】
従来のイオン導入器は、微弱電流の波形として、電流および電圧が一定となる直流電流や、パルス電流、正弦波交流電流等の様々な波形を採用している。例えば、特許文献１には、患部に電流を出力する電極部を有し、該電極部からパルス状の電流を流すよう構成されたイオン導入器が開示されている。イオン導入器は、電極部から肌へ一方極性のパルス電流を通電できるよう構成されている。そのため、上記パルス電流の極性とは逆極性の電荷を帯びた美容成分がパルス電流によって肌内部へ浸透しやすくなる。
【０００４】
また、特許文献２に開示されたイオン導入器は、一方極性の群発パルス電流と他方極性の群発パルス電流とを交互に肌へ通電する。これにより、上記イオン導入器は、正電荷を帯びた美容成分と負電荷を帯びた美容成分とが混在している場合にも、両成分の肌内部への浸透を促進させることができるよう構成されている。
【先行技術文献】
【特許文献】
【０００５】
【特許文献１】特開２００５−２３７５４５号公報
【特許文献２】特開２００２−３２０６８０号公報
【発明の概要】
【発明が解決しようとする課題】
【０００６】
従来のイオン導入器は、上述したように、美容成分の肌へ浸透を促進させる効果があるが、肌の美容効果を高める観点から見れば、未だ改善の余地がある。
【０００７】
本発明は、上記の背景に鑑みてなされたもので、従来よりも優れた美容効果を発揮する可能性を有する美容器具を提供しようとするものである。
【課題を解決するための手段】
【０００８】
本発明の一態様は、第１電極と第２電極とが人体を介して導通可能に構成され、上記第１電極と上記第２電極と人体とが構成する外部回路に電流を流すことにより電荷を帯びた美容成分を肌内部に浸透させるための美容器具であって、
第１電極と第２電極とを備えた本体部と、
該本体部内に配されるとともに上記第１電極と上記第２電極とに接続され、これらの間に流れる電流を制御する制御部とを有し、
該制御部は、上記第１電極と上記第２電極との間に一方極性の電流を流すイオン導入ステップと、上記第１電極と上記第２電極との間に他方極性のパルス電流を流すリセットパルスステップと、上記第１電極と上記第２電極との間に極性が交互に入れ替わる電流を流すスキンケアステップとを順次繰り返すイオン導入モードを実行するよう構成されていることを特徴とする美容器具にある（請求項１）。
【発明の効果】
【０００９】
上記美容器具は、第１電極または第２電極のうち一方の電極と美容成分を塗布し美容効果を得たい部分の人体肌とを接触させ、他方の電極と人体肌の他の部分とを接触させることにより上記外部回路を構成する。そして、上記美容器具は、上記外部回路が構成されている状態において上記イオン導入モードを実行することにより、美容成分の肌内部への浸透を促進可能に構成されている。以下においては、美容効果を得たい部分と接触する電極を第１電極とし、他方の電極を第２電極として説明する。また、上記電流の極性は、上記外部回路において第１電極から第２電極へ流れる向きを正極性とし、この反対の向きを負極性とする。
【００１０】
上記イオン導入ステップにおいては、両電極の間に一方極性の電流が流れている。ここで、上記電流の極性は、美容成分が有する電荷と同極性となるように制御される。例えば、美容成分が負電荷を有する場合には、制御部は、第１電極が第２電極に対して低電位となるように両電極の間に電圧を印加する。これにより、上記外部回路に流れる電流の極性は負極性となる。そして、負電荷を有する美容成分は、第１電極から斥力を受け、第２電極側、つまり肌内部へ向けて浸透しやすくなる。
【００１１】
また、上記リセットパルスステップにおいては、上記電流の極性は、上記イオン導入ステップにおける電流と逆極性となるよう制御されている。そのため、上記イオン導入ステップにおいて人体肌中に生じた電荷の偏りを中和することができる。
【００１２】
また、上記スキンケアステップにおいては、両電極の間に極性が交互に入れ替わる微弱な電流が流れている。当該微弱電流が肌に流れると、皮膚細胞が活性化され、リンパの流れがよくなったり、血行が促進されたり、新陳代謝が向上されたりする等の効果を発揮する可能性がある。そのため、上記スキンケアステップを行うことにより、肌の張りを改善したり、肌を美しくする等の美容効果が期待できる。
【００１３】
そして、上記美容器具は、上記イオン導入ステップと、上記リセットパルスステップと、上記スキンケアステップとをこの順序で繰り返す上記イオン導入モードを実施することにより、美容成分の浸透促進作用と肌の活性化作用との相乗効果で体感できる美容効果をより向上させることが期待できる。
【図面の簡単な説明】
【００１４】
【図１】実施例における、美容器具が外部回路を形成している場合に外部回路に流れる電流の波形図。
【図２】実施例における、美容器具の制御部のブロック図。
【図３】実施例における、美容器具の動作を説明するフローチャート。
【図４】実施例における、イオン導入モード中の肌検知機能の動作を説明するフローチャート。
【図５】実施例における美容器具が外部回路を形成している場合に、ステップＳ５において抵抗器の両端に生じる電位差の波形図。
【図６】実施例における、美容器具の斜視図。
【図７】実施例における、美容器具を第１電極側（下方）から見た平面図。
【図８】実施例における、美容器具を第２電極側（上方）から見た平面図。
【図９】実験例における、試験前後での施術部のＶＡＳ値の変化を示す説明図。
【図１０】実験例における、試験前後でのコントロール部のＶＡＳ値の変化を示す説明図。
【発明を実施するための形態】
【００１５】
上記美容器具の上記イオン導入ステップにおける電流の大きさは、例えば１００〜１０００μＡとすることができる。上記電流の大きさが１００μＡ未満の場合には、美容成分の肌内部への浸透が促進されにくくなり、体感できる美容効果が低下するおそれがある。また、上記電流の大きさが１０００μＡを超える場合には、美容成分の浸透促進効果が飽和し始める。
【００１６】
上記電流は、電流値が大きいほど美容成分の肌内部への浸透が促進されやすくなる反面、使用者によっては、肌と第１電極との接触部に違和感を感じさせるおそれがある。このような問題を回避しつつ、美容成分の浸透促進効果を十分に得るためには、上記イオン導入ステップにおける電流の大きさが１００〜２４０μＡであることがより好ましい。
【００１７】
また、上記リセットパルスステップにおけるパルス電流の大きさは、特に限定されるものではないが、例えば１００〜１０００μＡとすることが好ましい。上記パルス電流がこの範囲内にあれば、電荷の偏りを十分に中和しやすく、体感できる美容効果を向上させることが容易となる。
【００１８】
また、上記スキンケアステップにおける極性の入れ替わりの周波数は、特に限定されるものではないが、例えば１ｋ〜１００ｋＨｚとすることができる。上記周波数が当該範囲を超える場合には、肌の活性化効果が十分得にくく、体感できる美容効果が低下するおそれがある。そのため、上記周波数は、１ｋ〜１００ｋＨｚであればよく、１ｋ〜１０ｋＨｚがより好ましい。
【００１９】
また、上記スキンケアステップにおける電流の大きさは、例えば３０〜１００μＡとすることができる。上記電流の大きさが３０μＡ未満の場合には、電流が過度に小さいため肌の活性化効果を得にくくなり、体感できる美容効果が低下するおそれがある。一方、上記電流の大きさが１００μＡを超える場合には、肌の活性化効果が飽和し始める。そのため、スキンケアステップにおける電流の大きさは、３０〜１００μＡであればよく、４０〜６０μＡがより好ましい。
【００２０】
また、上記イオン導入ステップにおける電流はパルス状であり、上記スキンケアステップにおいて流れる電流は、矩形波であり、かつ、その絶対値が上記イオン導入ステップにおいて流れる電流の絶対値よりも小さいことが好ましい（請求項２）。この場合には、イオン導入ステップにおいて美容成分の浸透を促進させやすくなるとともに、スキンケアステップにおいて肌の活性化効果を得られやすくなる。その結果、上記美容器具は、美容効果をより向上させることが期待できるものとなる。なお、この場合において、上記イオン導入ステップにおけるパルスのデューティ比は、例えば１０〜９０％とすることができ、３０〜７０％がより好ましい。
【００２１】
また、上記制御部は、上記イオン導入ステップ、上記リセットパルスステップおよび上記スキンケアステップの各々における電流の大きさを、各ステップに応じた値に制御する定電流回路を有していてもよい（請求項３）。
この場合には、上記美容器具は、各々のステップにおける上記電流の大きさを、各ステップにおける美容効果が得られやすい大きさに制御可能なものとなる。その結果、上記美容器具は、より美容効果の大きいものとなる。
【００２２】
また、上記イオン導入ステップは０．２〜２０ミリ秒間継続され、上記スキンケアステップは０．２〜２０ミリ秒間継続されることが好ましい（請求項４）。この場合には、上記美容器具は、美容成分を肌内部に十分浸透させることができるとともに、肌の活性化効果を十分得ることができる。その結果、上記美容器具は、より美容効果の大きいものとなる。
【実施例】
【００２３】
（実施例）
上記美容器具の実施例を、図１〜図８を用いて説明する。美容器具１は、第１電極１１と第２電極１２とが人体を介して導通可能に構成されている。また、美容器具１は、第１電極１１と第２電極１２と人体とが構成する外部回路に電流を流すことにより電荷を帯びた美容成分を肌内部に浸透させることができるよう構成されている。
【００２４】
美容器具１は、図６〜図８に示すように、第１電極１１と第２電極１２とを備えた本体部１０と、本体部１０内に配されるとともに第１電極１１と第２電極１２とに接続され、これらの間に流れる電流を制御する制御部３とを有している。制御部３は、図１及び図３に示すように、第１電極１１と第２電極１２との間に一方極性の電流（図１、Ｆ１）を流すイオン導入ステップＳ８と、第１電極１１と第２電極１２との間に他方極性のパルス電流（図１、Ｆ２）を流すリセットパルスステップＳ９と、第１電極１１と第２電極１２との間に極性が交互に入れ替わる電流（図１、Ｆ３）を流すスキンケアステップＳ１１とを順次繰り返すイオン導入モードを実行するよう構成されている。
【００２５】
図６〜図８に示すように、美容器具１は、略棒状の本体部１０を有しており、本体部１０の側周面に第１電極１１と第２電極１２とを有している。第１電極１１は、図７に示すように、本体部１０の長手方向の一端に配設されている。第２電極１２は、図８に示すように、本体部１０の長手方向の他端に配設されている。また、第１電極１１と第２電極１２とは、本体部１０の長手方向から見て、本体部１０を挟んで互いに反対側となる位置に配されている。なお、以下において、本体部１０の長手方向における第１電極１１が設けられた側を前方といい、第２電極１２が設けられた側を後方ということがある。また、美容器具１を長手方向（前後方向）から見たときの第１電極１１側を下方とし、第２電極１２側を上方ということがある。これらの方向表示は便宜上のものであり、美容器具１の使用時における実際の向きとは何ら関係がない。
【００２６】
また、本体部１０は、制御部３と、制御部３に電力を供給する電源部２と、ＬＥＤインジケータ１４と、振動モータ１５とを内蔵している。ＬＥＤインジケータ１４は、図８に示すように、本体部１０の長手方向における略中央部に配されており、上方に向けて発光可能に構成されている。また、振動モータ１５は、本体部１０の内部において、第１電極１１側（前方）の端部に配置されている（図示略）。
【００２７】
また、本例の美容器具１は、図６に示すように、磁力により吸着され得るよう構成され、人体肌に塗布された美容剤を肌表面から吸着除去するための吸着ヘッド部１３を付加機能として有している。吸着ヘッド部１３は、図７に示すように、本体部１０の後方端部に配設されている。吸着ヘッド部１３は、図６及び図７に示すように、下方に膨出した膨出部１３１を有している。また、吸着ヘッド部１３は、膨出部１３１の頂面、つまり第２電極１２の反対側（下方）に、平坦面よりなり、磁力を発生する磁力発生面１３０を備えている。
【００２８】
以下、美容器具１の各部の間の電気的接続について図２を用いて詳説する。電源部２は、制御部３内の制御用マイコン３０及び電圧印加部３１と、ＬＥＤインジケータ１４と、振動モータ１５とのそれぞれに接続されており、これらの各部に対して作動用電力を供給している。
【００２９】
制御部３は、図２に示すように、電源部２、第１電極１１、第２電極１２、ＬＥＤインジケータ１４及び振動モータ１５とそれぞれ接続されており、これらの各部の動作を制御可能に構成されている。また、制御部３は、制御用マイコン３０と、電圧印加部３１と、還流部３２とを有している。制御用マイコン３０は、各部の動作を制御する信号を入出力する機能を有する。電圧印加部３１は、第１電極１１と第２電極１２との間に電圧を印加する機能を有する。還流部３２は、第１電極１１または第２電極１２から人体に流れる電流を取り込み、電源部２へ還流させる機能を有する。
【００３０】
制御用マイコン３０と電圧印加部３１との間は、後述する電圧制御信号及び電流値選択信号を伝達できるよう互いに接続されている。還流部３２は、電圧印加部３１と、電源部２のマイナス極へ接続されている接地部３１２との間に配されている。また、還流部３２は制御用マイコン３０の後述するＡＤＣ（Analog  to  Digital  Converter）３００に接続されている。これにより、制御部３は、還流部３２内の電位差を制御用マイコン３０に入力できるよう構成されている。
【００３１】
電圧印加部３１は、極性反転回路３１０と定電流回路３１１を有しており、両者が互いに接続されて構成されている。極性反転回路３１０は、後述する制御用マイコン３０の信号出力部３０２と互いに接続されている。また、極性反転回路３１０は、第１電極１１と第２電極１２との各々と接続されている。これにより、極性反転回路３１０は、信号出力部３０２から出力される電圧制御信号に基づいて第１電極１１と第２電極１２との間の電位差を制御可能に構成されている。
【００３２】
定電流回路３１１は、第１電極１１と第２電極１２との間に流れる電流を一定値に保つ機能を有する。また、定電流回路３１１は、制御用マイコン３０の信号出力部３０２と互いに接続されている。そして、定電流回路３１１は、信号出力部３０２から出力される電流値選択信号に基づいて第１電極１１と第２電極１２との間に流れる電流を２段階に設定可能に構成されている。本例では、この電流の大きさは、イオン導入レベルと、イオン導入レベルよりも電流値の小さいスキンケアレベルとの２段階に設定されている。なお、イオン導入レベルは、後述するイオン導入ステップＳ８及びリセットパルスステップＳ９の実行中に適用され、スキンケアレベルはスキンケアステップＳ１１の実行中に適用される。
【００３３】
還流部３２は、定電流回路３１１と接地部３１２との間に接続された抵抗器３２０を有している。これにより、電圧印加部３１側から取り込まれた電流は、抵抗器３２０内を接地部３１２側へ向かって流れ、接地部３１２を介して電源部２のマイナス極へ還流される。また、還流部３２における電圧印加部３１と抵抗器３２０との間は、制御用マイコン３０のＡＤＣ３００と接続されている。これにより、ＡＤＣ３００は、電圧印加部３１と抵抗器３２０との間の点の、接地部３１２の電位（以下、接地部３１２の電位を「接地電位」という）に対する電位差が入力されるよう構成されている。
【００３４】
本例の制御用マイコン３０は、付加機能として、第１電極１１及び第２電極１２と人体との接触状態に応じて美容器具１の動作を変更する機能を備えている。つまり、本例の制御用マイコン３０は、第１電極１１及び第２電極１２の双方と人体とが接触している場合には、図３に示すイオン導入ステップＳ８、リセットパルスステップＳ９及びスキンケアステップＳ１１を順次繰り返すイオン導入モードを実行するように美容器具１の動作を制御する。一方、本例の制御用マイコン３０は、第１電極１１または第２電極１２の少なくとも一方が人体と接触していない場合には、図３に示すように、両電極と人体との接触を検知するために行うステップＳ３〜ステップＳ６を、ディレイタイマー３０３により設定される所定の時間間隔で繰り返す（ステップＳ２）ように美容器具１の動作を制御する。
【００３５】
以下、本例の制御用マイコン３０について詳説する。制御用マイコン３０は、ＡＤＣ３００と、演算部３０１と、信号出力部３０２と、ディレイタイマー３０３とを有している。ＡＤＣ３００は、還流部３２内の電位差をデジタル化する機能を有している。演算部３０１は、第１電極１１と第２電極１２とが人体と接触しているか否かを判定する機能を有している。信号出力部３０２は、第１電極１１または第２電極１２から美容効果を得たい肌表面に流す電流を制御する機能を有している。
【００３６】
ＡＤＣ３００は、制御部３の還流部３２と接続されており、接地電位に対する還流部３２の電位差をデジタル化するよう構成されている。ＡＤＣ３００によりデジタル化された上記電位差の値は、制御用マイコン３０内において演算部３０１へ伝達される。
【００３７】
演算部３０１は、ＡＤＣ３００より入力された上記電位差の値を所定の閾値と比較する。そして、演算部３０１は、上記電位差の値が上記所定の閾値未満である場合に第１電極１１または第２電極１２の少なくとも一方が人体と接触していないと判定し、上記電位差の値が上記所定の閾値以上である場合に第１電極１１と第２電極１２との双方が人体と接触していると判定するよう構成されている。また、演算部３０１は、上記判定の結果と、図３及び図４に示す予め設定された動作フローとの双方に基づいて信号出力部３０２から出力する信号を制御可能に構成されている。なお、上記動作フローの詳細については後述する。
【００３８】
信号出力部３０２は、図２に示すように、演算部３０１からの制御信号を受けて、電圧印加部３１に対して電圧制御信号及び電流値選択信号を出力するよう構成されている。電圧制御信号は、電圧印加部３１の極性反転回路３１０に入力され、第１電極１１と第２電極１２との間に印加する電圧のオンオフ及び極性を制御する。また、電流値選択信号は、電圧印加部３１の定電流回路３１１に入力され、第１電極１１と第２電極１２との間に流れる電流値を制御する。
【００３９】
また、信号出力部３０２は、ＬＥＤインジケータ１４及び振動モータ１５とも各々接続されている。信号出力部３０２は、演算部３０１における上記判定の結果、第１電極１１と第２電極１２との双方が人体と接触していると判定された場合に、ＬＥＤインジケータ１４及び振動モータ１５のそれぞれを駆動させる駆動信号を出力するよう構成されている。
【００４０】
ディレイタイマー３０３は、演算部３０１における上記判定の結果、第１電極１１または第２電極１２の少なくとも一方が人体と接触していないと判定された場合に、演算部３０１により起動される。ディレイタイマー３０３は、演算部３０１の動作を所定の時間停止させる機能を有する。これにより、美容器具１は、ディレイタイマー３０３が起動してから上記所定の時間が経過するまでの間、演算部３０１の動作停止に伴って各部の動作が停止される。また、ディレイタイマー３０３は、上記所定の時間が経過した後に演算部３０１の動作を再開させるよう構成されている。
【００４１】
次に、美容器具１の動作フローについて図３及び図４を用いて説明する。美容器具１は、電源部２より電源が供給されると、図３に示すように、制御用マイコン３０を初期化するステップＳ１を行う。このとき、制御用マイコン３０は、定電流回路３１１に対して電流値選択信号を出力し、電流値をイオン導入レベルに設定する。
【００４２】
その後、制御用マイコン３０は、ディレイタイマー３０３により上記所定の時間の経過を待つステップＳ２を行う。なお、本例のディレイタイマー３０３は、上記所定の時間を５０〜１０００ミリ秒の範囲で適宜設定することができる。
【００４３】
制御用マイコン３０は、ステップＳ２に次いで、電源部２から電圧印加部３１に作動用電力を供給するステップＳ３を行うとともに、信号出力部３０２から電圧制御信号を出力する。これにより、制御用マイコン３０は、第２電極１２に対して第１電極１１が低電位となるように両電極間の電位差を制御しつつ、両電極間にパルス電圧を１回印加する。このようにして第１電極１１と第２電極１２との間にパルス電圧が１回印加されるステップＳ４が実施される。本例において、ステップＳ４におけるパルス電圧の値は、５Ｖとした。
【００４４】
続いて、図３に示すように、還流部３２における電位差を測定するステップＳ５が実施される。ステップＳ５において、第１電極１１と第２電極１２との双方と肌とが接触している場合には、第２電極１２から人体を介して第１電極１１に上記パルス電圧によるパルス電流が流れる。当該パルス電流は、第１電極１１から制御部３内へ取り込まれ、図５に示す波形Ｆ４のように、還流部３２における抵抗器３２０の両端間に電位差を生じさせる。そして、抵抗器３２０の両端間に生じた電位差、すなわち接地電位を基準とした還流部３２内の電位差は、制御用マイコン３０のＡＤＣ３００に入力され、その値の測定が行われる。
【００４５】
一方、第１電極１１または第２電極１２の少なくとも一方が肌と接触していない場合には、上記パルス電圧を印加しても抵抗器３２０に電流が流れず、抵抗器３２０の両端間に電位差が発生しない。そのため、第１電極１１または第２電極１２の少なくとも一方が肌と接触していない場合には、電位差の値は０Ｖとなる。
【００４６】
その後、制御用マイコン３０は、演算部３０１における上記電位差と所定の閾値Ｌ（図５参照）との比較結果に基づいて第１電極１１及び第２電極１２と人体との接触状態を判定するステップＳ６を行う。ステップＳ５において測定した電位差が閾値Ｌ未満となる場合には、制御用マイコン３０は、第１電極１１または第２電極１２の少なくとも一方が人体と接触していないと判定する（ステップＳ６、「Ｎｏ」）。この場合、制御用マイコン３０は、ステップＳ２に戻ってディレイタイマー３０３を起動する。そして、制御用マイコン３０は、ステップＳ６において第１電極１１または第２電極１２の少なくとも一方が人体と接触していないと判定されている間は、ステップＳ２〜ステップＳ６を繰り返す。なお、本例においては、閾値Ｌは５０〜２００ｍＶの間で適宜設定することができる。
【００４７】
一方、図５に示すように、ステップＳ６において接地電位を基準とした還流部３２内の電位差が閾値Ｌ以上となる場合、制御用マイコン３０は、第１電極１１と第２電極１２との双方が人体と接触していると判定する（ステップＳ６、「Ｙｅｓ」）。この場合、図３に示すように、制御用マイコン３０は、定電流回路３１１に対して電流値選択信号を出力し、電流値をイオン導入レベルに設定するステップＳ７を行う。
【００４８】
ステップＳ７に次いで、制御用マイコン３０は、イオン導入ステップＳ８と、リセットパルスステップＳ９と、スキンケアステップＳ１１とを順次繰り返すイオン導入モードを開始する。これにより、肌に流れる電流の波形は、図１に示す基本波形Ｆ１〜Ｆ３が繰り返されるものとなる。
【００４９】
イオン導入モードは、図４に示すように、制御用マイコン３０により、第１電極１１と第２電極１２との双方が人体と接触している間実行され、第１電極１１または第２電極１２の少なくとも一方が人体から離れると停止される。また、イオン導入モードが実行されている間、制御用マイコン３０は、信号出力部３０２からＬＥＤインジケータ１４及び振動モータ１５に駆動信号を出力する（図４、ステップＴ１）。これにより、ＬＥＤインジケータ１４及び振動モータ１５は、第１電極１１及び第２電極１２の双方と人体とが接触している間駆動される。
【００５０】
より詳細には、イオン導入ステップＳ８において、制御用マイコン３０は、第２電極１２に対して第１電極１１が低電位となるように両電極間の電位を制御しつつ、両電極間にパルス電圧を複数回印加する。これにより、第１電極１１は、図１に示す基本波形Ｆ１のように、肌に負極性のパルス電流を複数回流すことができる。
【００５１】
リセットパルスステップＳ９において、制御用マイコン３０は、第２電極１２に対して第１電極１１が高電位となるように両電極間の電位差を制御しつつ、両電極間にパルス電圧を１回印加する。これにより、第１電極１１は、図１に示す基本波形Ｆ２のように、肌に正極性のパルス電流を流すことができる。
【００５２】
また、リセットパルスステップＳ９の後、制御用マイコン３０は、定電流回路３１１に対して電流値選択信号を出力し、電流値をスキンケアレベルに設定するステップＳ１０を行う。
【００５３】
制御用マイコン３０は、ステップＳ１０を実施した後、スキンケアステップＳ１１を実施する。スキンケアステップＳ１１において、制御用マイコン３０は、第２電極１２に対する第１電極１１の電位差の高低が交互に入れ替わる矩形波を両電極の間に印加する。これにより、第１電極１１は、図１に示す基本波形Ｆ３のように、正極性と負極性とが交互に入れ替わる矩形波電流を肌に流すことができる。
【００５４】
また、図４に示すように、制御用マイコン３０は、イオン導入モードと並行して、イオン導入モード中に人体肌に流れるパルス電流を用いて第１電極１１及び第２電極１２と人体との接触状態の判定を行う肌検知機能を有している。つまり、制御用マイコン３０は、イオン導入ステップＳ８、リセットパルスステップＳ９及びスキンケアステップＳ１１において人体肌に流れるパルス電流を用いて、ステップＳ５と同様に、当該パルス電流に起因して発生する接地電位に対する還流部３２の電位差の測定Ｔ２を行うよう構成されている。
【００５５】
そして、制御用マイコン３０は、図４に示すように、上述した還流部３２の電位差測定の結果に基づいて第１電極１１及び第２電極１２と人体との接触状態を判定するステップＴ３を行う。ステップＴ３における第１電極１１及び第２電極１２と人体との接触状態の判定は、１つのパルス電流に対する電位差測定の結果に基づいて行ってもよく、複数のパルス電流に対する電位差測定の結果を総合して行ってもよい。また、上述した接触状態の判定に用いるパルス電流は、イオン導入ステップＳ８、リセットパルスステップＳ９及びスキンケアステップＳ１１の各ステップにおけるパルス電流から適宜選択することができる。
【００５６】
例えば本例では、ステップＴ３における接触状態の判定は、リセットパルスステップＳ９におけるパルス電流（図１、Ｆ２）に起因する抵抗器３２０の両端間の電位差が閾値Ｌを所定の回数連続して下回るか否かを基準として実施される。つまり、本例の制御用マイコン３０は、パルス電流（図１、Ｆ２）に起因する電位差が所定の回数連続して閾値Ｌ未満となる場合（ステップＴ３、「Ｙｅｓ」）に、第１電極１１または第２電極１２の少なくとも一方が人体と接触していないと判定する。この場合には、制御用マイコン３０はパルス電流の発生を停止するとともに、ＬＥＤインジケータ１４及び振動モータ１５への駆動信号の出力を停止する（ステップＴ４）。制御用マイコン３０は、ステップＴ４によりイオン導入モードを終了した後、図３に示すステップＳ２〜ステップＳ６を繰り返すよう構成されている。
【００５７】
一方、制御用マイコン３０は、上述した電位差が連続して閾値Ｌ未満となる回数が上記所定の回数に達しない間は（ステップＴ３、「Ｎｏ」）、第１電極１１及び第２電極１２の双方と人体とが接触していると判定する。制御用マイコン３０は、ステップＴ３において第１電極１１及び第２電極１２の双方と人体とが接触していると判定されている間は、図３に示すステップＳ７〜ステップＳ１１を繰り返して実行する。
【００５８】
次に、美容器具１の使用方法について説明する。使用者は、美容器具１を使用する前に、予め電荷を帯びた美容成分を肌に塗布しておく。なお、本例において、上記美容成分としては、Ｌ−アスコルビン酸−２−リン酸ナトリウムを使用した。
【００５９】
使用者は、第１電極１１が手から突出し、かつ、第２電極１２が手と接触するように本体部１０を把持する。そして、使用者は、このように美容器具１を把持した状態で第１電極１１を肌表面に接触させる。これにより、イオン導入モードが開始され、第１電極１１と肌との接触部に、図１に示す基本波形Ｆ１〜Ｆ３の繰り返しからなる電流が流れる。なお、本例では、イオン導入ステップＳ８において、第１電極１１が陰極、第２電極１２が陽極として機能し、第１電極１１と接触している肌表面には負極性の電流が流れる。これにより、美容器具１は、陰イオンであるＬ−アスコルビン酸−２−リン酸イオンを肌内部へ浸透させることができる。
【００６０】
次に、美容器具１の作用効果について説明する。美容器具１は、イオン導入ステップＳ８と、リセットパルスステップＳ９と、スキンケアステップＳ１１とをこの順序で繰り返すイオン導入モードを実施することができるよう構成されている。
【００６１】
また、イオン導入ステップＳ８における電流はパルス状である。そして、スキンケアステップＳ１１において流れる電流は矩形波であり、かつ、その絶対値がイオン導入ステップＳ８において流れる電流の絶対値よりも小さい。このように、肌に流れる電流を上記各ステップの繰り返しとすることと、各々のステップにおける波形や電流の大きさ等を上述のように制御することとの相乗効果により、美容器具１は、上述のように、美容成分の浸透促進作用と肌の活性化作用との相乗効果で体感できる美容効果をより向上させることが期待できるものとなる。
【００６２】
また、制御部３は、イオン導入ステップＳ８、リセットパルスステップＳ９およびスキンケアステップＳ１１の各々における電流の大きさを、各ステップに応じた値に制御する定電流回路３１１を有している。そのため、美容器具１は、各ステップにおける美容効果が得られやすい大きさに制御可能なものとなる。
【００６３】
また、スキンケアステップＳ１１において流れる電流の波形は矩形波に制御されている。そのため、制御部３の構成が簡素なものとなる。
【００６４】
また、イオン導入ステップＳ８は０．２〜２０ミリ秒間継続され、スキンケアステップＳ１１は０．２〜２０ミリ秒間継続されるよう構成されている。そのため、美容器具１は、美容成分を肌内部に十分浸透させることができるとともに、肌の活性化効果を十分得ることができるものとなる。
【００６５】
以上のように、美容器具１は、従来よりも優れた美容効果を発揮する可能性を有する美容器具となる。
【００６６】
また、本例の美容器具１は、第１電極１１と第２電極１２との間にパルス電圧を印加し、制御部３内における電気的特性値を測定する手段を有している。これにより、美容器具１は、一定の電流を流し続ける場合に比べて、電気的特性値の測定時に消費する電力を低減することができる。
【００６７】
また、美容器具１は、第１電極１１と第２電極１２との双方が人体と接触していると判定された場合に、イオン導入モードを開始させる手段を有している。そのため、イオン導入モードの作動と停止との切り替えのためのスイッチを美容器具１に設ける必要がない。そして、使用者がスイッチ操作をする必要がなくなるため、美容器具１は使用者にとって使用しやすいものとなる。また、美容器具１にスイッチを配設する必要がなくなることは、部品点数の低減効果を得ることもできる。
【００６８】
また、美容器具１は、第１電極１１と第２電極１２との少なくとも一方が人体と接触していないと判定された場合には、ディレイタイマー３０３により所定時間の経過を待った後、再び電気的特性値の測定と判定とを実施するよう構成されている。これにより、電気的特性値の測定と判定とを実行する頻度を低減することができる。その結果、美容器具１は、待機状態、つまり第１電極１１または第２電極１２の少なくとも一方が人体と接触していない状態における消費電力を低減することができる。
【００６９】
また、美容器具１はＬＥＤインジケータ１４を備えており、イオン導入モード中にＬＥＤインジケータ１４が点灯するよう構成されている。そのため、使用者は、ＬＥＤインジケータ１４の点灯により、イオン導入モードが実施されていることを容易に確認することができる。その結果、美容器具１は使用者にとって使用しやすいものとなる。
【００７０】
また、美容器具１は、第１電極１１側の端部に振動モータ１５を有しており、イオン導入モード中に振動モータ１５が駆動されるよう構成されている。そのため、振動モータ１５から発生する振動により、第１電極１１と肌の接触部分及びその周辺部分は、リンパの流れがよくなったり、血行が促進されたり、新陳代謝が向上されたりする等の効果を得られる可能性がある。その結果、美容器具１は、体感できる美容効果をより向上させることができるものとなる。
【００７１】
また、本例において、第１電極１１と第２電極１２とは、図６〜図８に示すように、上下方向において互いに反対側に位置するように配置されている。そのため、美容器具１は、机上等に載置する際に、第１電極１１と第２電極１２とが載置面を介して導通する可能性を低減でき、消費電力を低減しやすくなる。
【００７２】
また、上記実施例では、第１電極１１と美容効果を得たい肌表面とを接触させ、第１電極１１をイオン導入モードにおける作用電極として機能させる例を示したが、第２電極１２を作用電極とする構成も可能である。また、第１電極１１と第２電極１２との間に印加する電圧も、美容成分の組成に応じて適宜設定できる。例えば、肌内部に導入したい美容成分が陽イオンである場合には、イオン導入ステップＳ８において、第１電極１１の電位を第２電極１２よりも高電位とすればよい。
【００７３】
また、上述の電荷を帯びた美容成分の塗布に先立って、他の美容効果を発揮する美容剤を使用することもできる。当該美容剤は、例えば、肌の汚れや老廃物を除去する作用を有するものや、上記美容成分とは異なる美容成分を含むものなど、種々のものを使用することができる。また、この場合には、上記美容剤は予め上述した電荷を帯びた美容成分を含むものであってもよい。
【００７４】
また、上記美容剤は、磁力により吸着され得るものであってもよい。この場合には、美容器具１の吸着ヘッド部１３により、上記美容剤を容易に除去することができる。つまり、上記美容剤を塗布した使用者は、塗布した後に吸着ヘッド部１３を手から突出させて本体部１０の第１電極１１側を把持し、吸着ヘッド部１３の磁力発生面１３０側を肌に近づける。これにより、使用後の美容剤は、磁力発生面１３０の磁力によって肌上から容易に除去され、吸着ヘッド部１３に吸着される。
【００７５】
また、磁力により吸着され得る美容剤に予め電荷を帯びた美容成分等が含有されている場合には、当該美容成分は、磁力によって吸着されないものであることが好ましい。磁力によって吸着されない美容成分を用いることにより、吸着ヘッド部１３を肌に近づけた際に、肌表面に当該美容成分を残留させつつ美容剤を除去することができる。
【００７６】
また、このとき、磁力発生面１３０には、着脱可能なカバー部材を予め装着することもできる。カバー部材は、磁力発生面１３０を覆うことが可能なものであれば、形状や材質等が限定されることなく種々のものを使用することができる。これにより、吸着ヘッド部１３に吸着された使用後の美容剤は、カバー部材ごと磁力発生面１３０から剥がして廃棄することができる。
【００７７】
なお、本例の美容器具１は、付加機能として吸着ヘッド部１３や電極と肌との接触検知機能を備えた制御用マイコン３０を有しているが、これらの機能を有していない美容器具であっても、肌に通電する電流波形を制御することによって美容効果の向上が見込めることは言うまでもない。
【００７８】
（実験例）
次に、上記イオン導入モードを実施することにより得られる肌の美容効果について評価を行った。以下に評価内容及び評価結果を説明する。
【００７９】
＜被験者＞
２０歳以上６０歳未満の日本人女性２０名を対象とした。
【００８０】
＜試験品＞
上記実施例の美容器具１を使用し、美容器具１と併用する美容剤には、以下の組成を有するものを用いた。なお、美容剤は、美容器具１の吸着ヘッド部１３を用いて磁性体粉を肌から吸着除去した後、イオン導入成分として機能するＬ−アスコルビン酸−２−リン酸ナトリウム及び保湿剤等が肌表面に残留するように設計されている。
・磁性体粉    ５５〜８０質量％
・Ｌ−アスコルビン酸−２−リン酸ナトリウム  ０．０１〜５０質量％
・保湿剤、汚れ除去成分、増粘剤、ｐＨ調整剤等  残量
【００８１】
＜試験方法＞
被験者の顔の半分を施術部とし、３日に１回の間隔で以下の方法による施術を施術部に対して行った。まず、クレンジング及び洗顔を行った後、施術部のみに上記美容剤を塗布し、５分間放置した。５分経過後、美容器具１の吸着ヘッド部１３を使用して美容剤中の磁性体粉を肌から吸着除去した。吸着除去の後、美容器具１の第２電極１２側を把持しつつ第１電極１１を肌に接触させ、施術部へのイオン導入モードの実施及び肌のマッサージを５分程度行い、施術を完了した。なお、施術を行わない部分は、コントロール部として被験者各自が日常的に行うケアのみを行うこととした。
【００８２】
＜評価＞
イオン導入モードの実施による美容効果の評価は、施術部及びコントロール部の毛穴の状態を、試験開始時、２週間経過時点、４週間経過時点及び８週間経過時点（試験完了時）の各評価時点において目視観察することにより行った。目視観察の結果は、視覚的評価スケール（Visual  Analog  Scale、ＶＡＳ）及び５段階評価を用いて数値化した。ＶＡＳ及び５段階評価による数値化の方法は、以下の通りである。
【００８３】
・ＶＡＳ
本評価におけるＶＡＳは長さ７９ｍｍの線分よりなるスケールである。ＶＡＳの一方の端点は、「毛穴が全く気にならないと被験者が感じた状態」に相当し、他方の端点は「毛穴がとても気になると被験者が感じた状態」に相当するよう構成されている。ＶＡＳによる評価は、被験者が自身の毛穴の状態をＶＡＳ上にマークすることにより行う。そして、ＶＡＳ全体の長さに対する一方の端点からマークの位置までの長さの比を算出し、この値をＶＡＳ値とした。すなわち、上述した算出方法により数値化されたＶＡＳ値は、値が小さいほど毛穴が気になりにくい状態であることを示す。
【００８４】
表１に、被験者別のＶＡＳ値の経時的な変化を示す。また、図９は、施術部について評価した、試験開始時と試験完了時との間のＶＡＳ値の変化を被験者別にプロットしたグラフであり、図１０は、コントロール部について評価した、試験開始時と試験完了時との間のＶＡＳ値の変化を被験者別にプロットしたグラフである。なお、図９及び図１０の横軸はＶＡＳ値であり、縦方向は被験者ＩＤに対応している。
【００８５】
・５段階評価
各評価時点において、施術部とコントロール部との毛穴の状態を比較し、被験者自身が両者の差を５段階で評価した。その結果を表２に示す。なお、表２に示すスコアが示す状態は、以下の通りである。
−２：コントロール部は施術部よりも毛穴が明らかに目立つ
−１：コントロール部は施術部よりも毛穴がやや目立つ
０：施術部とコントロール部とが同程度
＋１：施術部はコントロール部よりも毛穴がやや目立つ
＋２：施術部はコントロール部よりも毛穴が明らかに目立つ
【００８６】
表１より知られるように、ほとんどの被験者において、施術部のＶＡＳ値が経時的に小さくなり、毛穴の状態が経時的に改善される傾向が認められた。また、図９より知られるように、ほとんどの被験者において、試験完了時（８週間経過後）の施術部のＶＡＳ値が試験開始時のＶＡＳ値よりも小さくなり、８週間の施術により毛穴の状態が顕著に改善した。
【００８７】
また、表２より知られるように、各評価時点における相対評価についても、ほとんどの被験者においてスコアが小さくなり、施術部の毛穴がコントロール部よりも相対的に目立たなくなる傾向が認められた。一方で、コントロール部については、表１及び図１０より知られるように、ほとんどの被験者において試験前後でのＶＡＳ値の変化は見られなかった。以上の結果から、美容器具１により、施術部の毛穴の状態が改善するという美容効果が得られたことがわかる。
【００８８】
【表１】
2014054512.tif 000003
【００８９】
【表２】
2014054512.tif 000004
【符号の説明】
【００９０】
１  美容器具
１０  本体部
１１  第１電極
１２  第２電極
３  制御部
Ｓ８  イオン導入ステップ
Ｓ９  リセットパルスステップ
Ｓ１１  スキンケアステップ
【図１】
2014054512.tif 000005
【図２】
2014054512.tif 000006
【図３】
2014054512.tif 000007
【図４】
2014054512.tif 000008
【図５】
2014054512.tif 000009
【図６】
2014054512.tif 000010
【図７】
2014054512.tif 000011
【図８】
2014054512.tif 000012
【図９】
2014054512.tif 000013
【図１０】
2014054512.tif 000014